(57)【要約】【課題】間接活線作業で分岐電線を幹電線に容易に結束して支持させられる分岐電線支持用結束バンドを提供する。【解決手段】分岐電線支持用結束バンド１０は、裏面に多数の鋸歯状の係合歯１１ｂが形成されたかつ可撓性を有した細幅帯状の芯入りバンド部１１と、芯入りバンド部１１の基端に取り付けられたかつ芯入りバンド部１１を先端から挿通可能な挿通穴を有するヘッド部１２と、ヘッド部１２の隣り合う面にそれぞれ取り付けられた矩形薄板状の第１および第２の持ち手部１３1，１３2とを具備する。芯入りバンド部１１内には、芯入りバンド部１１の長さ方向に沿って通された細径の芯１１ｃが組み込まれている。【選択図】図１
2017210244.tif 000002
【特許請求の範囲】
【請求項１】
高圧配電線の分岐箇所において分岐電線（ＢＬ）を幹電線（Ｌ）に結束して支持させるための分岐電線支持用結束バンド（１０）であって、
裏面に多数の鋸歯状の係合歯（１１ｂ）が形成された、かつ、可撓性を有した細幅帯状の芯入りバンド部（１１）と、
該芯入りバンド部の基端に取り付けられた、かつ、該芯入りバンド部を先端から挿通可能な挿通穴を有するヘッド部（１２）と、
該ヘッド部の隣り合う面にそれぞれ取り付けられた矩形薄板状の第１および第２の持ち手部（１３1，１３2）とを具備し、
前記芯入りバンド部内に、該芯入りバンド部の長さ方向に沿って通された細径の芯（１１ｃ）が組み込まれている、
ことを特徴とする、分岐電線支持用結束バンド。
【請求項２】
前記芯入りバンド部がプラスチックから構成されており、
前記芯入りバンド部の先端部に丸みが持たされている、
ことを特徴とする、請求項１記載の分岐電線支持用結束バンド。
【請求項３】
前記ヘッド部の前記挿通穴内に、弾性変形して前記芯入りバンド部の前記係合歯に係合する係合爪（１２ａ）が取り付けられていることを特徴とする、請求項１または２記載の分岐電線支持用結束バンド。
【請求項４】
前記第１の持ち手部（１３1）が、前記ヘッド部の前記芯入りバンド部の取付面と隣り合う面に取り付けられており、
前記第２の持ち手部（１３2）が、前記ヘッド部の前記取付面と反対側の面に取り付けられており、
前記第１および第２の持ち手部の前記ヘッド部側に、第１および第２のミシン目（１３ａ1，１３ａ2）がそれぞれ形成されている、
ことを特徴とする、請求項１乃至３いずれかに記載の分岐電線支持用結束バンド。
【発明の詳細な説明】
【技術分野】
【０００１】
本発明は、高圧配電線の分岐箇所において分岐電線を幹電線に結束して支持させるのに好適な分岐電線支持用結束バンドに関する。
【背景技術】
【０００２】
電力会社では、配電工事を行う際には、図５に示すように、幹電線Ｌ（架空高圧配電線）と分岐電線ＢＬとの接続点に張力を加えないように両者の接続箇所（結束箇所）に２本のバインド線Ｗ（たとえば、径が２ｍｍのビニル被覆アルミバインド線）を２ｃｍ程度離して５回ずつ巻き付けることにより、分岐電線ＢＬを幹電線Ｌに結束して支持させている。
【０００３】
また、２本の幹電線Ｌ間に取り付けられたラインスペーサＳ（線間保持用絶縁管）の２箇所に１本のバインド線Ｗを数回それぞれ巻き付けることにより、分岐電線ＢＬをラインスペーサＳに結束して支持させている。
【０００４】
しかし、高電圧で幹電線Ｌに電流が流れている状態で作業をすることから作業員は身を守るためにゴム手袋を着用しているが、バインド線Ｗの先端は鋭利であるためにゴム手袋に穴があく等の問題が生じて感電するおそれがある。そのため、近年では間接活線作業でバインド線Ｗを巻いている。
【０００５】
なお、本出願人は、下記の特許文献１において、結束バンドを用いて複数の高圧配電線の端部を結束するとともにランプを取り付けることにより、複数の高圧配電線の端部同士をまとめるとともに夜間でも目立つようにした夜間作業補助具を提案している（公報の段落００４２〜００４６参照）。
【先行技術文献】
【特許文献】
【０００６】
【特許文献１】特開２０１３−１７６２６６号公報
【発明の概要】
【発明が解決しようとする課題】
【０００７】
しかしながら、間接活線作業でバインド線Ｗを巻き付ける作業は、以下に示すような問題があった。
（１）幹電線Ｌは３相であるために図５に示すように合計で１８本のバインド線Ｗを巻き付ける必要があるので、熟練度によって作業時間の差が激しく、作業者によっては作業時間が掛る。
（２）バインド線Ｗの緩みが生じたり出来栄えが悪かったり、作業者によって施工品質に差が生じる。
（３）多くの作業用工具を使用するため、作業用工具の運搬に労力を費やす。
（４）作業スペースも狭くなるため、作業効率が悪い。
【０００８】
また、上記の特許文献１で提案した夜間作業補助具は、結束バンドを１回だけ巻いて複数の高圧配電線の端部を結束するのには効果的であるが、バインド線Ｗと同程度の強度を十分に保つために結束バンドを２回以上巻き付けて分岐電線ＢＬを幹電線Ｌに結束して支持させるには必ずしも効果的ではないという問題がある。
【０００９】
本発明の目的は、間接活線作業で分岐電線を幹電線に容易に結束して支持させることができる分岐電線支持用結束バンドを提供することにある。
【課題を解決するための手段】
【００１０】
本発明の分岐電線支持用結束バンドは、高圧配電線の分岐箇所において分岐電線（ＢＬ）を幹電線（Ｌ）に結束して支持させるための分岐電線支持用結束バンド（１０）であって、裏面に多数の鋸歯状の係合歯（１１ｂ）が形成された、かつ、可撓性を有した細幅帯状の芯入りバンド部（１１）と、該芯入りバンド部の基端に取り付けられた、かつ、該芯入りバンド部を先端から挿通可能な挿通穴を有するヘッド部（１２）と、該ヘッド部の隣り合う面にそれぞれ取り付けられた矩形薄板状の第１および第２の持ち手部（１３1，１３2）とを具備し、前記芯入りバンド部内に、該芯入りバンド部の長さ方向に沿って通された細径の芯（１１ｃ）が組み込まれていることを特徴とする。
ここで、前記芯入りバンド部がプラスチックから構成されており、前記芯入りバンド部の先端部に丸みが持たされていてもよい。
前記ヘッド部の前記挿通穴内に、弾性変形して前記芯入りバンド部の前記係合歯に係合する係合爪（１２ａ）が取り付けられていてもよい。
前記第１の持ち手部（１３1）が、前記ヘッド部の前記芯入りバンド部の取付面と隣り合う面に取り付けられており、前記第２の持ち手部（１３2）が、前記ヘッド部の前記取付面と反対側の面に取り付けられており、前記第１および第２の持ち手部の前記ヘッド部側に、第１および第２のミシン目（１３ａ1，１３ａ2）がそれぞれ形成されていてもよい。
【発明の効果】
【００１１】
本発明の分岐電線支持用結束バンドは、以下の効果を奏する。
（１）芯入りバンド部および２つの持ち手部を備えることにより、熟練度によらずに間接活線作業で分岐電線を幹電線に容易に結束して支持させることができる。
（２）作業時間の短縮および作業員の肉体的負担の軽減を図ることができる。
（３）作業者の熟練度に関係なく一定の品質を保つことができる。
（４）使用する工具を少なくすることができる。
（５）作業スペースを広くすることができる。
【図面の簡単な説明】
【００１２】
【図１】本発明の一実施例による分岐電線支持用結束バンド１０の構成を示す図であり、（ａ）は芯入りバンド部１１のテール部１１ａを上側にしたときの正面図であり、（ｂ）は芯入りバンド部１１のテール部１１ａを上側にしたときの右側面図である。
【図２】図１（ａ），（ｂ）に示した分岐電線支持用結束バンド１０を用いて幹電線Ｌと分岐電線ＢＬとを結束する作業の手順について説明するための図である。
【図３】図１（ａ），（ｂ）に示した分岐電線支持用結束バンド１０を用いて分岐電線ＢＬとラインスペーサＳとを結束する作業の手順について説明するための図である。
【図４】絶縁操作棒３１の先端に取り付けられたヤットコ３２について説明するための図である。
【図５】従来の間接活線作業でバインド線Ｗを巻き付ける作業について説明するための図である。
【発明を実施するための形態】
【００１３】
上記の目的を、細径の芯が内部に組み込まれた芯入りバンド部とヘッド部に取り付けられた２つの持ち手部とを備えた結束バンドをバインド線の代わりに使用することにより実現した。
【実施例１】
【００１４】
以下、本発明の分岐電線支持用結束バンドの実施例について図面を参照して説明する。
本発明の一実施例による分岐電線支持用結束バンド１０は、図１（ａ），（ｂ）に示すように、芯入りバンド部１１（芯入りストラップ部）と、ヘッド部１２と、矩形薄板状の第１および第２の持ち手部１３1，１３2とを具備する。
【００１５】
ここで、芯入りバンド部１１は、可撓性を有した合成樹脂材料を細幅帯状に形成したものである。
芯入りバンド部１１の材質としては、野外での使用を考慮すると、十分耐候性を有するプラスチックが好ましい。
芯入りバンド部１１のテール部１１ａは、鋭利な構造でないものにするために、先端部に丸みを持たせている。
芯入りバンド部１１の裏面には、芯入りバンド部１１の幅方向に平行な多数の鋸歯状の係合歯１１ｂが、芯入りバンド部１１の基端部付近（ヘッド部１２側の部分）から先端部付近（テール部１１ａ側の部分）まで長さ方向に沿って等間隔に形成されている。
芯入りバンド部１１の中心部には、芯入りバンド部１１を曲げると曲げた状態を保つことができるように、細径の芯１１ｃ（アルミ線等）が長さ方向に沿って基端部付近から先端部付近まで通されている。
芯入りバンド部１１の長さは、幹電線Ｌおよび分岐電線ＢＬを２重巻きで結束できるように、約５５０ｍｍとされている。
芯入りバンド部１１の幅は、遠くからでも見え易いように、約２０ｍｍとされている。
芯入りバンド部１１の厚さは、バインド線Ｗを５回巻く強度と同程度を２重巻で十分保てるように、約２〜３ｍｍとされている。
【００１６】
ヘッド部１２は、芯入りバンド部１１の基端に一体成形されているとともに、芯入りバンド部１１を先端から挿通可能な挿通穴を有する枠形状とされている。
ヘッド部１２の挿通穴内には、芯入りバンド部１１の戻り方向の移動を制限するために弾性変形して係合歯１１ｂに係合する係合爪１２ａが一体成形されている。
【００１７】
第１の持ち手部１３1の左側面はヘッド部１２の右側面（ヘッド部１２の芯入りバンド部１１の取付面と隣り合う面）に取り付けられており、また、第２の持ち手部１３2の上面はヘッド部１２の下面（ヘッド部１２の芯入りバンド部１１の取付面と反対側の面）に取り付けられている。
これにより、間接活線作業において、絶縁操作棒３１（共用操作棒）の先端に取り付けられたヤットコ３２（図４参照）で第１または第２の持ち手部１３1,１３2を把持することにより、種々の角度から分岐電線支持用結束バンド１０を巻き付けられるため、作業性を向上させることができる。
第１の持ち手部１３1の左側面部には、捩じると容易にヘッド部１２から切り離せるように、第１のミシン目１３ａ1が表面から裏面まで貫通するように形成されている。
同様に、第２の持ち手部１３2の上面部には、捩じると容易にヘッド部１２から切り離せるように、第２のミシン目１３ａ2が表面から裏面まで貫通するように形成されている。
【００１８】
分岐電線支持用結束バンド１０の全重量は、電線張力に影響を及ぼさないように、バインド線Ｗと同程度以下の重さとするのが好ましい。
【００１９】
次に、分岐電線支持用結束バンド１０を用いて幹電線Ｌと分岐電線ＢＬとを結束する作業の手順について、図２（ａ）〜（ｅ）を参照して説明する。
なお、図２（ａ）〜（ｅ）では、図面の簡単のため、絶縁操作棒３１およびヤットコ３２は省略している。
また、説明の簡単のため、作業員が左手に持つ絶縁操作棒３１を「左手の絶縁操作棒３１」と称し、左手の絶縁操作棒３１の先端に取り付けられたヤットコ３２を「左手のヤットコ３２」と称し、作業員が右手に持つ絶縁操作棒３１を「右手の絶縁操作棒３１」と称し、右手の絶縁操作棒３１の先端に取り付けられたヤットコ３２を「右手のヤットコ３２」と称する。
【００２０】
作業員は、分岐電線支持用結束バンド１０のヘッド部１２を左手で把持したのち、右手に持った右手の絶縁操作棒３１を操作して分岐電線支持用結束バンド１０の第１の持ち手部１３1を右手のヤットコ３２で把持して捩じることにより第１の持ち手部１３1をヘッド部１２から切り離す。
このとき、第１の持ち手部１３1の左側面部には第１のミシン目１３ａ1が形成されているため、作業員は第１の持ち手部１３1をヘッド部１２から容易に切り離すことができる。
【００２１】
続いて、作業員は、左手の絶縁操作棒３１を持って、左手の絶縁操作棒３１を操作して分岐電線支持用結束バンド１０の第２の持ち手部１３2を左手のヤットコ３２で把持したのち、図２（ａ）に示すように分岐電線支持用結束バンド１０の表面を手前側（同図紙面の表面側）として芯入りバンド部１１のテール部１１ａが幹電線Ｌおよび分岐電線ＢＬの手前側上方に位置するまで左手の絶縁操作棒３１を持ち上げる。
このとき、他の作業員は、他の絶縁操作棒３１を操作して幹電線Ｌと分岐電線ＢＬとをヤットコ３２で把持しておく。
【００２２】
続いて、作業員は、右手の絶縁操作棒３１を操作して芯入りバンド部１１のテール部１１ａを右手のヤットコ３２で幹電線Ｌおよび分岐電線ＢＬの奥側から把持したのち、図２（ｂ）に示すようにテール部１１ａが幹電線Ｌおよび分岐電線ＢＬの奥側下方に位置するまで右手の絶縁操作棒３１を引き下げる。
これにより、分岐電線支持用結束バンド１０が幹電線Ｌおよび分岐電線ＢＬに１回巻き付けられる。
【００２３】
続いて、作業員は、図２（ｃ）に示すように芯入りバンド部１１のテール部１１ａが幹電線Ｌおよび分岐電線ＢＬの手前側上方に位置するまで右手の絶縁操作棒３１を持ち上げる。
このとき、作業員がテール部１１ａを把持し直すために右手のヤットコ３２を開いても、芯入りバンド部１１の中心部には芯１１ｃが通されているため、芯入りバンド部１１は曲った状態を保つので、芯入りバンド部１１が伸びてテール部１１ａが図２（ａ）に示したように幹電線Ｌおよび分岐電線ＢＬの手前側上方に戻ってしまうことはない。
【００２４】
続いて、作業員は、右手の絶縁操作棒３１を操作して右手のヤットコ３２を開いたのちに幹電線Ｌおよび分岐電線ＢＬの奥側から芯入りバンド部１１のテール部１１ａを右手のヤットコ３２で再度把持する。
このときにも、作業員が右手のヤットコ３２を開いても芯入りバンド部１１は図２（ｃ）に示した状態を保つため、作業員は幹電線Ｌおよび分岐電線ＢＬの奥側からテール部１１ａを右手のヤットコ３２で容易に再度把持することができる。
【００２５】
続いて、作業員は、芯入りバンド部１１のテール部１１ａが図２（ｄ）に示すように幹電線Ｌおよび分岐電線ＢＬの奥側下方に位置するまで右手の絶縁操作棒３１を引き下げる。
これにより、分岐電線支持用結束バンド１０が幹電線Ｌおよび分岐電線ＢＬに２回巻き付けられる。
【００２６】
続いて、作業員は、図２（ｅ）に示すように、左手および右手の絶縁操作棒３１を操作して芯入りバンド部１１をヘッド部１２の挿通穴にテール部１１ａの先端から挿通して、芯入りバンド部１１の係合歯１１ｂをヘッド部１２の係合爪１２ａに係合させる。
【００２７】
続いて、作業員は、右手の絶縁操作棒３１を操作して、右手のヤットコ３２を開いたのち、ヘッド部１２の挿通穴を挿通させた芯入りバンド部１１のテール部１１ａを右手のヤットコ３２で再度把持して引っ張ることにより、分岐電線支持用結束バンド１０を幹電線Ｌおよび分岐電線ＢＬに強く巻き付ける。
【００２８】
続いて、作業員は、左手の絶縁操作棒３１を操作して分岐電線支持用結束バンド１０の第２の持ち手部１３2を左手のヤットコ３２で捩じることにより、第２の持ち手部１３2をヘッド部１２から切り離す。
このとき、第２の持ち手部１３2の上面部には第２のミシン目１３ａ2が形成されているため、作業員は第２の持ち手部１３2をヘッド部１２から容易に切り離すことができる。
【００２９】
続いて、作業員は、以上のようにして幹電線Ｌおよび分岐電線ＢＬに巻き付けた分岐電線支持用結束バンド１０の隣に２ｃｍ程度の間隔をあけて、他の分岐電線支持用結束バンド１０を幹電線Ｌおよび分岐電線ＢＬに同様の手順で巻き付ける。
【００３０】
次に、分岐電線支持用結束バンド１０を用いて分岐電線ＢＬとラインスペーサＳとを結束する作業の手順について、図３（ａ）〜（ｅ）を参照して説明する。
なお、図３（ａ）〜（ｅ）では、図面の簡単のため、絶縁操作棒３１およびヤットコ３２は省略している。
また、説明の簡単のため、作業員が左手に持つ絶縁操作棒３１を「左手の絶縁操作棒３１」と称し、左手の絶縁操作棒３１の先端に取り付けられたヤットコ３２を「左手のヤットコ３２」と称し、作業員が右手に持つ絶縁操作棒３１を「右手の絶縁操作棒３１」と称し、右手の絶縁操作棒３１の先端に取り付けられたヤットコ３２を「右手のヤットコ３２」と称する。
【００３１】
作業員は、両手に絶縁操作棒３１を１本ずつ持ち、分岐電線支持用結束バンド１０のヘッド部１２を左手で把持したのち、右手に持った右手の絶縁操作棒３１を操作して分岐電線支持用結束バンド１０の第２の持ち手部１３2を右手のヤットコ３２で把持して捩じることにより第２の持ち手部１３2をヘッド部１２から切り離す。
このとき、第２の持ち手部１３2の上面部には第２のミシン目１３ａ2が形成されているため、作業員は第２の持ち手部１３2をヘッド部１２から容易に切り離すことができる。
【００３２】
続いて、作業員は、左手の絶縁操作棒３１を持って、左手の絶縁操作棒３１を操作して分岐電線支持用結束バンド１０の第１の持ち手部１３1を左手のヤットコ３２で把持したのち、図３（ａ）に示すように分岐電線支持用結束バンド１０の表面を手前側（同図紙面の表面側）として芯入りバンド部１１のテール部１１ａが分岐電線ＢＬおよびラインスペーサＳの手前側左方に位置するまで左手の絶縁操作棒３１を左方向に移動させる。
このとき、他の作業員は、他の絶縁操作棒３１を操作して幹電線Ｌと分岐電線ＢＬとをヤットコ３２で把持しておく。
【００３３】
続いて、作業員は、右手の絶縁操作棒３１を操作して芯入りバンド部１１のテール部１１ａを右手のヤットコ３２で分岐電線ＢＬおよびラインスペーサＳの奥側から把持したのち、図３（ｂ）に示すようにテール部１１ａが分岐電線ＢＬおよびラインスペーサＳの奥側右方に位置するまで右手の絶縁操作棒３１を右方向に移動させる。
これにより、分岐電線支持用結束バンド１０が分岐電線ＢＬおよびラインスペーサＳに１回巻き付けられる。
【００３４】
続いて、作業員は、図３（ｃ）に示すように芯入りバンド部１１のテール部１１ａが分岐電線ＢＬおよびラインスペーサＳの手前側左方に位置するまで右手の絶縁操作棒３１を左方向に移動させる。
このとき、作業員がテール部１１ａを把持し直すために右手のヤットコ３２を開いても、芯入りバンド部１１の中心部には芯１１ｃが通されているため、芯入りバンド部１１は曲った状態を保つので、芯入りバンド部１１が伸びてテール部１１ａが図３（ａ）に示したように分岐電線ＢＬおよびラインスペーサＳの手前側左方に戻ってしまうことはない。
【００３５】
続いて、作業員は、右手の絶縁操作棒３１を操作して右手のヤットコ３２を開いたのちに分岐電線ＢＬおよびラインスペーサＳの奥側から芯入りバンド部１１のテール部１１ａを左手のヤットコ３２で再度把持する。
このときにも、作業員が右手のヤットコ３２を開いても芯入りバンド部１１は図３（ｃ）に示した状態を保つため、作業員は分岐電線ＢＬおよびラインスペーサＳの手前側からテール部１１ａを右手のヤットコ３２で容易に再度把持することができる。
【００３６】
続いて、作業員は、芯入りバンド部１１のテール部１１ａが図３（ｄ）に示すように分岐電線ＢＬおよびラインスペーサＳの奥側右方に位置するまで、右手の絶縁操作棒３１を右方向に移動させる。
これにより、分岐電線支持用結束バンド１０が分岐電線ＢＬおよびラインスペーサＳに２回巻き付けられる。
【００３７】
続いて、作業員は、図３（ｅ）に示すように、左手および右手の絶縁操作棒３１を操作して芯入りバンド部１１をヘッド部１２の挿通穴にテール部１１ａの先端から挿通して、芯入りバンド部１１の係合歯１１ｂをヘッド部１２の係合爪１２ａに係合させる。
【００３８】
続いて、作業員は、右手の絶縁操作棒３１を操作して右手のヤットコ３２を開いたのち、ヘッド部１２の挿通穴を挿通させた芯入りバンド部１１のテール部１１ａを右手のヤットコ３２で再度把持して引っ張ることにより、分岐電線支持用結束バンド１０を分岐電線ＢＬおよびラインスペーサＳに強く巻き付ける。
【００３９】
続いて、作業員は、左手の絶縁操作棒３１を操作して分岐電線支持用結束バンド１０の第１の持ち手部１３1を左手のヤットコ３２で捩じることにより、第１の持ち手部１３1をヘッド部１２から切り離す。
このとき、第１の持ち手部１３1の左側面部には第１のミシン目１３ａ1が形成されているため、作業員は第１の持ち手部１３1をヘッド部１２から容易に切り離すことができる。
【符号の説明】
【００４０】
１０  分岐電線支持用結束バンド
１１  芯入りバンド部
１１ａ  テール部
１１ｂ  係合歯
１１ｃ  芯
１２  ヘッド部
１２ａ  係合爪
１３1，１３2  第１および第２の持ち手部
１３ａ1，１３2  第１および第２のミシン目
３１  絶縁操作棒
３２  ヤットコ
Ｌ  幹電線
ＢＬ  分岐線
Ｓ  ラインスペーサ
Ｗ  バインド線
【図１】
2017210244.tif 000003
【図２】
2017210244.tif 000004
【図３】
2017210244.tif 000005
【図４】
2017210244.tif 000006
【図５】
2017210244.tif 000007